(57)【要約】【課題】ユーザにとって最も馴染みやすい形式でアルバム単位で再生曲を選択することができ、視認性、操作性が確保された車載用オーディオ装置を提供することを提供する。【解決手段】車載用オーディオ装置１の表示処理部３１は、タッチディスプレイ３０のアルバムリストが表示されるアルバムリスト表示画面２００ａ中のアルバムリスト表示領域２１０において、アルバム名と分類に用いられた属性情報とを、アルバムリスト表示領域２１０以外の領域に表示される操作キーに比して拡大して表示させると共に、アルバムに含まれる曲を選択可能に表示するための曲選択画面に移行するための曲選択画面移行キーをアルバム名が表示されるアルバム名表示箇所２１１０ａ、２１２０ａ、２２１０ａに対応させてアルバムリストの一部を表示させる。【選択図】          図７
2008186503.tif 000002
【特許請求の範囲】
【請求項１】
音楽データとアルバム名を含みアルバム単位毎に前記音楽データに関連付けられている属性情報とが記録されているデータベース部と、
前記アルバム名以外の属性情報に基づいて分類された１又は複数のアルバム名と前記分類に用いられた属性情報とが関連付けられて前記表示部に表示されるアルバムリストを作成するアルバムリスト作成部と、
画面に表示される操作キーへの入力を検出するタッチパネル機能を有する表示部と、
前記表示部に前記アルバムリストを表示させる表示処理部とを備え、
前記表示処理部は、前記表示部の前記アルバムリストが表示されるアルバムリスト表示画面中のアルバムリスト表示領域において、前記アルバム名と前記分類に用いられた属性情報とを、前記アルバムリスト表示領域以外の領域に表示される操作キーに比して拡大して表示させると共に、前記アルバムに含まれる曲を選択可能に表示するための曲選択画面に移行するための曲選択画面移行キーを前記アルバム名が表示されるアルバム名表示箇所に対応させて前記アルバムリストの一部を表示させる、
ことを特徴とする車載用オーディオ装置。
【請求項２】
前記表示処理部は、前記表示部の前記アルバムリスト表示領域以外の領域に、前記アルバムリストの中から所望のアルバムの選択を補助するための選択補助表示を表示させる、
ことを特徴とする請求項１に記載の車載用オーディオ装置。
【請求項３】
前記表示処理部は、前記表示部の前記曲選択画面において前記アルバムに含まれる曲名と共に前記アルバム名を表示させる、
ことを特徴とする請求項１に記載の車載用オーディオ装置。
【請求項４】
前記アルバム名以外の属性情報には、アーティスト名、ジャンル及び前記音楽データが録音された録音年月日のうち少なくとも１つである、
ことを特徴とする請求項１に記載の車載用オーディオ装置。
【請求項５】
前記選択補助表示は、前記アルバムリストをスクロールさせるためのスクロールキー、前記アルバムリストの所定位置にジャンプするためのジャンプキー、前記アルバム名以外の異なる属性情報毎にアルバム名が分類された複数のアルバムリストから所望のアルバムリストを選択するためのアルバムリスト選択キー及び前記アルバムリストの長さに対応して前記アルバムリストにおける表示位置を示すインジケータのうち少なくとも１つである、
ことを特徴とする請求項１に記載の車載用オーディオ装置。
【発明の詳細な説明】
【技術分野】
【０００１】
本発明は、車載用オーディオ装置に関する。
【背景技術】
【０００２】
近年、ＣＤ等に記録されている音楽データを抽出してハードディスクへ記録することができるハードディスク内蔵型オーディオ装置が普及し始めている。このような、ハードディスク内蔵型オーディオ装置は、大量の音楽データをハードディスクに記録させることができ、また、音楽データに関連付けて、アーティスト名やアルバム名、曲名などについても記憶させることができる。このため、ユーザは、アーティスト名や曲名を頼りに大量の音楽データの中から所望の楽曲を再生することができる（特許文献１参照）。
また、近年このようなハードディスクを内蔵したカーオーディオ装置が普及しており、ドライバー及び搭乗者はＣＤの交換作業などの作業を行わずとも所望の楽曲を再生することができる。特に、このようなカーオーディオ装置は、カーナビゲーション装置に搭載されて広く普及している。
【０００３】
このようなカーオーディオ装置は、曲名の表示や再生曲を変更するためのタッチディスプレイを有している。図１及び図２は、従来のカーオーディオ装置のタッチディスプレイに表示される図である。
このようなカーオーディオ装置のタッチディスプレイは、車載用であることから表示領域が限られているため、記録されている音楽データの全てを曲名毎に表示させることはできない。従って、記録された音楽データの中から所望の楽曲を選択するために、まずアーティスト名を表示させて、ユーザにより選択されたアーティストに関する曲名を表示させるアーティストモードと、アルバム名を表示させて、ユーザにより選択されたアルバムに含まれる曲名を表示させるアルバムモードとが切り替え可能に形成されている。
【０００４】
図１（ａ）は、アーティストモードが設定された状態での表示画面である。図１（ａ）は、再生準備がとられている又は再生中の曲名１１１ｚとアーティスト名１１０ｚとが表示されている。
ユーザは、アーティスト名１１０ｚを頼りに再生される楽曲を変更したい場合には、プレイリストキー１２０ｚを押下して、図１（ｂ）の画面に移行させて、記録されている音楽データに関するアーティスト名１１００ｚを表示させることができる。ユーザは、所望のアーティストを選択してトラックキー１２００ｚを押下げると、図１（ｃ）の画面に移行し、選択されたアーティストに関する曲名が表示される。ユーザは所望の曲名が表示された部分を押下ることにより、再生曲を変更することができる。
【０００５】
また、図２（ａ）は、アルバムモードが設定された状態での表示画面である。図２（ｂ）は、再生準備がとられている又は再生中の曲名１１１ｚとアルバム名１１２ｚとが表示されている。ユーザは、アルバム名を頼りに再生される楽曲を変更したい場合には、プレイリストキー１２０ｚを押下ることにより、図２（ｂ）の画面に移行させて、記録されている音楽データに関するアルバム名を表示させることができる。ユーザは、所望のアルバムを選択してトラックキー１２００ｚを押下げると、図１（ｃ）の画面に移行して、そのアルバムに含まれる曲名が表示される。
【０００６】
【特許文献１】特開２００４−３９１１３号公報
【発明の開示】
【発明が解決しようとする課題】
【０００７】
しかし、このようなカーオーディオ装置のディスプレイは、その表示領域が限られているため、複数の情報を一画面で表示させるには限界があり、アーティスト名とアルバム名とは同時に表示されなかった。
このため、アーティストモードに設定されている場合には、選択されたアーティストに関する曲は表示されるが、アルバム名は表示されない。従って、ユーザは、アーティストモードにおいてアルバム単位毎に曲を把握することができなかった。このため、一のアーティストに関する曲が膨大に記録されているような場合には、アーティストモードにおいては、その膨大な曲の中から所望の曲を視認して選択する必要があった。
【０００８】
また、アルバムモードに設定されている場合には、選択されたアルバムに含まれる曲は表示されるが、アーティスト名は表示されないため、アルバム選択時において、アーティスト名を確認することはできなかった。
また、ユーザは、アーティストモードで再生中の楽曲が含まれるアルバム名を表示させる場合、又はアルバムモードで再生中の楽曲に関するアーティスト名を表示させる場合には、設定されたモードを切り替えるための操作が必要であり、操作が繁雑であった。
【０００９】
このように、従来のカーオーディオ装置では、ユーザにとって馴染みにくい形式で再生曲を選択することが強いられていた。
【００１０】
本発明は上記問題に鑑みてなされたものであり、ユーザにとって最も馴染みやすい形式でアルバム単位で再生曲を選択することができ、視認性、操作性が確保された車載用オーディオ装置を提供することを目的とする。
【課題を解決するための手段】
【００１１】
上記目的は、音楽データとアルバム名を含みアルバム単位毎に前記音楽データに関連付けられている属性情報とが記録されているデータベース部と、前記アルバム名以外の属性情報に基づいて分類された１又は複数のアルバム名と前記分類に用いられた属性情報とが関連付けられて前記表示部に表示されるアルバムリストを作成するアルバムリスト作成部と、画面に表示される操作キーへの入力を検出するタッチパネル機能を有する表示部と、前記表示部に前記アルバムリストを表示させる表示処理部とを備え、前記表示処理部は、前記表示部の前記アルバムリストが表示されるアルバムリスト表示画面中のアルバムリスト表示領域において、前記アルバム名と前記分類に用いられた属性情報とを、前記アルバムリスト表示領域以外の領域に表示される操作キーに比して拡大して表示させると共に、前記アルバムに含まれる曲を選択可能に表示するための曲選択画面に移行するための曲選択画面移行キーを前記アルバム名が表示されるアルバム名表示箇所に対応させて前記アルバムリストの一部を表示させる車載用オーディオ装置によって達成できる。
【００１２】
この構成により、アルバム名と分類に用いられた属性情報とが関連付けられたアルバムリストが表示されるので、アルバム名と分類に用いられた属性情報とを同時に把握することができる。また、曲選択画面移行キーをアルバム名表示箇所に対応させて表示されるので、アルバム単位で曲を把握することができる。これにより、ユーザにとって最も馴染みやすい方式で再生曲を選択することができる。
また、アルバム名と分類に用いられた属性情報とを、アルバムリスト表示領域以外の領域に表示される操作キーに比して拡大して、アルバムリストを表示するため、アルバム名と分類に用いられた属性情報とを同時に短時間で把握することができ、視認性を向上させることができる。また、拡大表示されたアルバム名表示箇所に、曲選択画面移行キーを対応させて表示されるので、アルバムの選択の誤りを防止することができ、操作性についても向上させることができる。特に、車内において視認性が向上されることによって、誤操作も防止でき、操作性をについても更に向上される。
【００１３】
また、上記構成において、前記表示処理部は、前記表示部の前記アルバムリスト表示領域以外の領域に、前記アルバムリストの中から所望のアルバムの選択を補助するための選択補助表示を表示させる、構成を採用できる。
この構成により、選択補助表示をアルバムリスト表示領域以外の領域に表示されるので、アルバムリストの視認性及びアルバム選択時の操作性に影響を与えることなく、ユーザのアルバムの選択を補助することができる。
【００１４】
また、上記構成において、前記表示処理部は、前記表示部の前記曲選択画面において前記アルバムに含まれる曲名と共に前記アルバム名を表示させる、構成を採用できる。
この構成により、ユーザは、自ら選択したアルバム名を確認して再生曲を選択することができるので、アルバム選択時の誤操作などを確認することができる。また、アルバム名とそのアルバムに含まれている曲名とを同時に確認することができるので、ユーザはアルバム名と曲名とを関連付けて記憶することができ、アルバム名を頼りに再生曲を選択することが容易となる。
【００１５】
また、上記構成において、前記アルバム名以外の属性情報には、アーティスト名、ジャンル及び前記音楽データが録音された録音年月日のうち少なくとも１つである、構成を採用できる。
この構成により、アーティスト名毎にアルバムが分類される場合には、ユーザは、アーティスト名とアルバム名とを同時に把握することができ、アーティスト名を頼りにアルバムリストの中から所望のアルバムを探すことができる。これにより、ユーザにとって最も馴染みやすい形式で再生曲を選択することができる。
また、ジャンル毎に分類されている場合には、所望のジャンルに応じてアルバムを選択することができる。
また、録音年月日毎に分類されている場合には、録音年月日に応じてアルバムを選択することができる。
【００１６】
また、上記構成において、前記選択補助表示は、前記アルバムリストをスクロールさせるためのスクロールキー、前記アルバムリストの所定位置にジャンプするためのジャンプキー、前記アルバム名以外の異なる属性情報毎にアルバム名が分類された複数のアルバムリストから所望のアルバムリストを選択するためのアルバムリスト選択キー及び前記アルバムリストの長さに対応して前記アルバムリストにおける表示位置を示すインジケータのうち少なくとも１つである、構成を採用できる。
この構成により、スクロールキーが表示される場合には、ユーザはアルバムリストをスクロールさせて、分類に用いられた属性情報を頼りに、アルバムリストの中から所望のアルバムを探し出すことができる。
また、アルバムリスト選択キーが表示されている場合には、異なる属性情報に基づいて作成されたアルバムリストの表示の切り替えを容易に行うことができる。
また、インジケータが表示されている場合には、ユーザは、表示されているアルバムリストの一部が、アルバムリスト全体においてどの位置が表示されているかを容易に視認することができる。また、アルバムリスト中のどの位置に所望のアルバムが表示されているかを把握することができ、次回に再度同一のアルバムを選択する際にはインジケータを目印として、容易にアルバムを選択することができる。
【発明の効果】
【００１７】
本発明によれば、ユーザにとって最も馴染みやすい形式でアルバム単位で再生曲を選択することができ、視認性、操作性が確保された車載用オーディオ装置を提供することができる。
【発明を実施するための最良の形態】
【００１８】
以下、図面を参照して本発明に係る実施例を説明する。
【００１９】
図３は、本発明に係る一実施例の車載用オーディオ装置の構成図である。
車載用オーディオ装置１は、ＣＰＵ（Central  Processing  Unit）（アルバムリスト作成部）１０、バス１１、メモリ１２、ＨＤＤ（データベース部）１３、操作入力部２０、入力処理部２１、タッチディスプレイ（表示部）３０、表示処理部３１、ＣＤドライブ４０、ＣＤドライブ制御部４１、ネットワークインターフェイス５０、通信処理部５１、スピーカ部６０、オーディオデータ処理部６１とから構成される。
【００２０】
ＣＰＵ１０は、起動されたプログラムに基づいて車載用オーディオ装置１の全体の制御、演算処理を行う。
ＣＰＵ１０はバス１１を介して各回路部との間で制御信号やデータのやりとりを行う。
【００２１】
メモリ１２はＣＰＵ１０が処理に用いるＲＡＭ、ＲＯＭ、フラッシュメモリ（不揮発性メモリ）などを包括的に示している。
メモリ１２におけるＲＯＭには、ＣＰＵ１０が実行すべき動作プログラム、プログラムローダー等が記憶される。また、メモリ１２におけるフラッシュメモリには、各種演算係数、プログラムで用いるパラメータ等が記憶される。メモリ１２におけるＲＡＭには、プログラムを実行する上でのデータ領域、タスク領域が一時的に確保される。
【００２２】
操作入力部２０は、車載用オーディオ装置１の筐体に設けられた操作キーやジョグダイヤルなどの各種操作子などから成る部位である。
操作入力部２０で入力された情報は入力処理部２１において所定の処理が施され、ＣＰＵ１０に対して操作コマンドとして伝送される。ＣＰＵ１０は入力された操作コマンドに応答した機器としての動作が得られるように、所要の演算や制御を行う。
【００２３】
タッチディスプレイ３０は、例えば、画面に表示される操作キーへの入力を検出するタッチパネル機能を有する液晶などのディスプレイである。タッチディスプレイ３０には、表示デバイスが接続され、各種情報表示が行われる。
ＣＰＵ１０が各種動作状態や入力状態、通信状態に応じて表示情報を表示処理部３１に供給すると、表示処理部３１は供給された表示データに基づいてタッチディスプレイ３０に表示動作を実行させる。タッチディスプレイ３０に表示される操作キーにより入力された情報は入力処理部２１において所定の処理が施され、ＣＰＵ１０に対して操作コマンドとして伝送される。
例えば本実施の形態の場合であれば、タッチディスプレイ３０には、ＨＤＤ１３に記録された音楽データから再生する曲を選択するための画面が表示される。
【００２４】
ＣＤドライブ４０は、ＣＤに対する再生動作を行う。ＣＤドライブ制御部１８は、ＣＤドライブ４０におけるＣＤに対する再生動作等を制御する。ＣＤドライブからの再生データは、オーディオデータ処理部６１により増幅等の処理が施されて、スピーカ部６０から出力される。
【００２５】
通信処理部５１は、ＣＰＵ１０の制御に基づいて送信データのエンコード処理、受信データのデコード処理を行う。
【００２６】
ネットワークインターフェイス５０は、通信処理部５１でエンコードされた送信データをネットワークを介して所定の外部ネットワーク対応機器に送信する。
またネットワークを介して外部ネットワーク対応機器から送信されてきた信号を通信処理部５１に受け渡す。通信処理部５１は受信した情報をＣＰＵ１０に転送する。
【００２７】
また、ＨＤＤ１３には、ＣＤドライブ４０で再生されたデータ等を、音楽データとして記録されている。また、ＨＤＤ１３には、音楽データと、アルバム名を含みアルバム単位毎に音楽データに関連付けられている属性情報とが記録されている。
音楽データは、いわゆるリッピングや、ネットワークを介して購入されたものであってもよい。
【００２８】
次に、音楽データの管理方法の概念について説明する。図４は、音楽データの管理例を示した概念図である。
音楽データは、アルバムに含まれる音楽データ群毎に属性情報が関連付けられている。
属性情報５００、５１０…は、アルバム名、アーティスト名、ジャンル、録音日などから構成される。この各属性情報に含まれる、アルバム名、アーティスト名、ジャンル、録音日は、それぞれ互いに関連付けられている。
また、音楽データとして、ファイルＡ５０１、ファイルＢ５０２…から構成される。属性情報５００、５１０…は、アルバム単位で音楽データに関連付けられている。
【００２９】
次に、ＣＰＵ１０により作成されるアルバムリストの概念とアルバムリストの一部を拡大表示した場合について説明する。図５は、アルバムリストの概念の例示図と、アルバムリストの一部を拡大表示した場合の説明図である。
アルバムリスト６００ａは、アーティスト名毎に、ＨＤＤ１３に記録されているアルバムをリスト化したものである。
【００３０】
表示処理部３１は、このアルバムリスト６００ａの一部をタッチディスプレイ３０に表示させる。アルバムリスト６００ａが表示される場合、図５に示すように、タッチディスプレイ３０の中央部に形成されるアルバムリスト表示領域２１０に、アルバムリスト６００ａの一部を拡大して表示する。
このように、アルバムリスト６００ａの一部を拡大し表示するので、視認性が向上する。
【００３１】
次に、アルバムリストの他の一例について説明する。図６は、アルバムリストの他の一例を示した概念図である。図６（ａ）は、録音日に基づいてアルバムをリスト化したアルバムリスト６００ｂ、図６（ｂ）は、ジャンルに基づいてアルバムをリスト化したアルバムリスト６００ｃの概念図である。
【００３２】
次に、タッチディスプレイ３０に表示される画面の一例について説明する。図７から図９は、タッチディスプレイ３０に表示される画面の一例を示した図である。
図７（ａ）は、車載用オーディオ装置１に電源投入後又は音楽再生中にタッチディスプレイ３０に表示されるトップ画面の例示図である。トップ画面１００には、アルバム名１１０、曲名１１１、アーティスト名１１２とが表示される。ユーザは、アルバムリストを表示させるための操作キーであるＨＤＤキー１３０に触れた上で、リストキー１２０を押下する。
【００３３】
図７（ｂ）は、トップ画面１００からリストキー１２０を押下された場合にタッチディスプレイ３０に表示されるアルバムリスト表示画面２００ａの例示図である。
尚、アルバムリスト表示画面２００ａは、アーティスト名に基づいて分類されたアルバムリストである。
アルバムリスト表示画面２００ａには、前述したようにアルバムリスト表示領域２１０にアルバムリストが表示される。
【００３４】
アルバムリスト表示領域２１０について説明する。アルバムリスト表示領域２１０には、アーティスト名２１００ａが表示され、アーティスト名２１００ａに関連付けられているアルバム名２１１０ａ、２１２０ａとが表示される。
また、アーティスト名２２００ａと、アーティスト名２２００ａに関連付けられているアルバム名２２１０ａとが表示されている。
図７（ｂ）に示すように、アーティスト名２１００ａ、２２００ａと、アルバム名２１１０ａ、２１２０ａ、２２１０ａとは、アルバムリスト表示領域２１０以外の領域に表示される操作キーに比して拡大して表示される。このように、アルバムリストを拡大して表示するため、アルバム名とアーティスト名とを同時に短時間で把握することができ、視認性を向上させることができる。
尚、「拡大して表示する」とは、タッチディスプレイ３０上に他の操作キーが表示される面積よりも、アーティスト名、アルバム名が表示される面積のほうが大きいことをいう。
【００３５】
また、アルバム名２１１０ａ、２１２０ａ、２２１０ａの表示箇所には、後述する、アルバムに含まれる曲を選択可能に表示するための曲選択画面に移行するための曲選択画面移行キーが配置されている。従って、ユーザは、所望のアルバム名が表示されたアルバム名表示箇所を指で押下することにより、アルバムに含まれている曲が選択可能に表示される画面に切り替えることができる。
このように、拡大表示されたアルバム名表示箇所に、曲選択画面移行キーを対応させて表示されるので、アルバムの選択の誤りを防止することができ、操作性についても向上させることができる。特に、車内において視認性が向上されることによって、誤操作も防止でき、操作性をについても更に向上される。
【００３６】
アルバムリスト表示画面２００ａには、アルバムリスト表示領域以外の領域に、アルバムリストの中から所望のアルバムの選択を補助するための選択補助表示としての、スクロールキー２２０、ジャンプキー２４０ａ、スクロールバー２５１、インジケータ２５２、リスト選択キー２６０、戻るキー２７０が表示される。
スクロールキー２２０は、アルバムリストをスクロールさせるための操作キーである。
スクロールキー２２０は、アルバムリスト表示領域２１０の左側に表示されており、アルバムリストを上方向へスクロールするための上スクロールキー２２１、上方向へ早送りしてスクロールするための上早送りスクロールキー２２２、下方向へスクロールするための下スクロールキー２２３、下方向へ早送りしてスクロールするための下早送りスクロールキー２２４、とから構成される。
これにより、ユーザはアルバムリストをスクロールさせて、分類に用いられた属性情報（アーティスト名）を頼りに、アルバムリストの中から所望のアルバムを探し出すことができる。
【００３７】
ジャンプキー２４０ａは、アルバムリストの所定位置にジャンプするための操作キーである。
ジャンプキー２４０ａは、あ行キー２３０ａ、か行キー２３１ａ、さ行キー２３２ａ、た行キー２３３ａ、な行キー２３４ａ、は行キー２３５ａ、ま行キー２３６ａ、や行キー２３７ａ、ら・わ行キー２３８ａ、その他キー２３９ａから構成される。
【００３８】
ユーザは、アルバムリストの中から、あ行で始まるアーティスト名によるアルバムを探し出す場合には、あ行キー２３０ａを押し下げすることにより、アルバムリスト表示領域２１０には、アルバムリストに記載された、あ行で始まるアーティスト名が記載された位置にジャンプする。また、さ行で始まるアーティスト名によるアルバムを探し出す場合には、さ行キー２３２ａを押し下げすることにより、さ行で始まるアーティスト名が記載された位置にジャンプする。
このように、ユーザはアルバムリスト中の所定の位置に画面を切り替えることができ、容易に所望のアルバムを探し出すことができる。
【００３９】
また、スクロールバー２５１内を移動するインジケータ２５２は、アルバムリストの長さに対応してアルバムリストにおける表示位置を示す。
これにより、ユーザは、表示されているアルバムリストの一部が、アルバムリスト全体においてどの位置が表示されているかを容易に視認することができる。また、アルバムリスト中のどの位置に所望のアルバムが表示されているかを把握することができ、次回に再度同一のアルバムを選択する際にはインジケータ２５２を目印として、容易にアルバムを選択することができる。
【００４０】
また、リスト選択キー２６０は、複数のアルバムリストから所望のアルバムリストを選択するための操作キーである。
リスト選択キー２６０は、アーティスト毎にアルバム名が分類されたアルバムリストを選択するアーティストモードキー２６１、録音日毎にアルバム名が分類されたアルバムリストを選択する録音日モードキー２６２、ジャンル毎にアルバム名が分類されたアルバムリストを選択するジャンルモード２６３、ユーザにより登録された曲のみをリスト化して表示させるためのマイベストキー２６４、から構成される。
これにより、異なる属性情報毎に作成されたアルバムリストの表示の切り替えを容易に行うことができる。
尚、マイベストキー２６４を押した場合には、アルバムリストは表示されず、予めユーザによって登録された曲名が表示される。
【００４１】
また、戻るキー２７０は、現在タッチディスプレイ３０に表示されている画面の以前に表示されている画面を表示させるための操作キーである。ユーザは、戻るキー２７０を押下することにより、タッチディスプレイ３０には図７（ａ）の画面が表示される。
【００４２】
以上のように、表示処理部３１は、タッチディスプレイ３０のアルバムリスト表示領域２１０以外の領域に、アルバムリストの中から所望のアルバムの選択を補助するための選択補助表示を表示させる。
これにより、選択補助表示をアルバムリスト表示領域２１０以外の領域に表示されるので、アルバムリストの視認性及びアルバム選択時の操作性に影響を与えることなく、ユーザのアルバムの選択を補助することができる。
【００４３】
次に、曲選択画面について説明する。図８は、曲選択画面３００の例示図である。曲選択画面３００には、アルバムに含まれている曲が表示される。ユーザは、曲名２１１１ａ〜２１１５ａの中から何れか１の曲名が表示されている箇所を押し下げることにより、再生曲を選択することができる。押し下げすることにより、タッチディスプレイ３０には、再度トップ画面が表示され、再生中の曲名等が表示される。
【００４４】
表示処理部３１は、タッチディスプレイ３０の曲選択画面３００においてアルバムに含まれる曲名２１１１ａ〜２１１５ａと共にアルバム名３１１０ａとを表示させる。ユーザは、自ら選択したアルバム名を確認して再生曲を選択することができるので、アルバム選択時の誤操作などを確認することができる。また、アルバム名とそのアルバムに含まれている曲名とを同時に確認することができるので、ユーザはアルバム名と曲名とを関連付けて記憶されやすくなり、アルバム名を頼りに再生曲を選択することが容易となる。
尚、曲選択画面３００においても、スクロールキー２２０及びインジケータ２５２が表示される。
【００４５】
図９は、タッチディスプレイ３０に表示されるその他のアルバムリスト表示画面の例示図である。
図９（ａ）は、録音日毎にアルバム名が分類されたアルバムリストが表示されるアルバムリスト表示画面２００ｂの例示図である。
このアルバムリストは、そのアルバムが記録された録音年月日の新しい順にアルバム名がリスト化されたものである。
【００４６】
アルバムリスト表示画面２００ｂには、録音日２１００ｂと、それに関連付けられているアルバム名２１１０ｂ、２１２０ｂとが表示される。また、録音日２２００ｂと、それに関連付けられているアルバム名２２１０ｂとが表示されている。
ジャンプキー２４０ｂは、録音された月毎に所定の位置にジャンプする２３０ｂ、２３３ｂ、年毎に所定の位置にジャンプする２３１ｂ、２３２ｂから構成される。
これにより、ユーザは録音日を頼りに所望のアルバムを選択することができる。
【００４７】
図９（ｂ）は、ジャンル毎にアルバム名が分類されたアルバムリストが表示されるアルバムリスト表示画面２００ｃの例示図である。
このアルバムリストは、そのアルバムのジャンル毎に順にアルバム名がリスト化されたものである。
【００４８】
アルバムリスト表示画面２００ｃには、ジャンルを示すＪ−ＰＯＰＳ・ＲＯＣＫ２１００ｃと、それに関連付けられているアルバム名２１１０ｃ、２１２０ｃとが表示される。また、ジャンルを示すＰＯＰＳ・ＲＯＣＫ２２００ｃと、それに関連付けられているアルバム名２２１０ｃとが表示されている。
ジャンプキー２４０ｃは、Ｊ−ＰＯＰＳ・ＲＯＣＫキー２３０ｃ、ＰＯＰＳ・ＲＯＣＫキー２３１ｃ、ＪＡＺＺ・ＦＵＳＩＯＮキー２３２ｃ、ＣＬＡＳＳＩＣキー２３３ｃ、ＳＯＵＬ・Ｒ＆Ｂキー２３４ｃ、アニメキー２３５ｃ、その他キー２３６ｃなどから構成される。
これにより、ユーザはジャンルを頼りに所望のアルバムを選択することができる。
【００４９】
以上のように、アルバム名と分類に用いられた属性情報とが関連付けられたアルバムリストが表示されるので、アルバム名と分類に用いられた属性情報とを同時に把握することができる。また、曲選択画面移行キーをアルバム名表示箇所に対応させて表示されるので、アルバム単位で曲を把握することができる。これにより、ユーザにとって最も馴染みやすい方式で再生曲を選択することができる。
【００５０】
即ち、一般的にＣＤなどの販売を行う店舗では、アーティスト名またはジャンル毎に所定の位置に区分けされてＣＤが陳列されている。購入者は、アーティスト名またはジャンルを頼りに、所望のアルバムを探し出し、収録曲を確認してＣＤを購入する。また、通常ＣＤの帯やＣＤケースの背面には、アーティスト名とアルバム名とが一緒に記載されており、ユーザにとってアーティスト名とアルバム名とを同時に視認できることはごく当然のこととして取り扱われている。
【００５１】
このように、アーティスト名またはジャンルを頼りに所望のアルバムを探しだすことは、ユーザにとって最も馴染みやすい方式といえる。
従って、本実施形態に係る車載用オーディオ装置においても、アーティスト名やジャンル、録音日毎にアルバムがリスト化されるので、ユーザにとって最も馴染みやすい方式で所望のアルバムを探し出し再生曲を選択することができる。
【００５２】
次に、車載用オーディオ装置１が行う処理の一例について説明する。図１０は、車載用オーディオ装置１が行う処理の一例を示すフローチャート図である。尚、この処理は、車載用オーディオ装置１が駆動している間は一定周期で実行される。
車載用オーディオ装置１に電源が投入されると、ＣＰＵ１０は、表示処理部３１に指令を出して、タッチディスプレイ３０にトップ画面１００を表示させる（ステップＳ１）。
次に、ＣＰＵ１０は、入力処理部２１からの信号に基づいて、アルバムリストを表示させるためのリストキー１２０が押し下げられたかどうかを判定する（ステップＳ２）。押し下げられていない場合にはこの処理を終了する。
【００５３】
押し下げられた場合には、所定のモードに基づきアルバム選択画面を表示する。尚、本実施形態に係る車載用オーディオ装置１の場合には、電源投入後最初に表示されるアルバム選択画面は、アーティスト毎にアルバムを分類したリストが表示される。従って、タッチディスプレイ３０には、アルバムリスト表示画面２００ａが表示される。
【００５４】
次に、ＣＰＵ１０は、入力処理部２１からの信号に基づいて、戻るキー２７０が押し下げられたかどうかを判定する（ステップＳ４）。押し下げられた場合には、トップ画面１００を表示させる。
押し下げられていない場合は、ＣＰＵ１０は、同様に入力処理部２１からの信号に基づいて、スクロールキー２２０が押し下げられたかどうかを判定する（ステップＳ５）。
押し下げられた場合には、ＣＰＵ１０は、表示処理部３１に指令を出して、アルバムリストをスクロールさせて、タッチディスプレイ３０に表示させ、また、そのスクロールに対応させてインジケータ２５２をスクロールバー２５１内において移動させる（ステップＳ６）。
【００５５】
押し下げられていない場合には、ＣＰＵ１０は、ジャンプキー２４０ａが押し下げられたかどうかを判定する（ステップＳ７）。
押し下げられた場合には、ＣＰＵ１０は、表示処理部３１に指令を出して、アルバムリストの所定の位置にジャンプして表示を切り替える共に、その移動に対応してインジケータ２５２をスクロールバー２５１内において移動させる（ステップＳ８）。
【００５６】
押し下げられていない場合には、ＣＰＵ１０は、リスト選択キー２６０が押し下げられたかどうかを判定する（ステップＳ９）。押し下げられた場合には、押し下げられたリスト選択キーに基づいて、所定のモードに基づきアルバム選択画面を表示する（ステップＳ３）。
押し下げられていない場合には、ＣＰＵ１０は、曲選択画面移行キーが配置されているアルバム名２１１０ａ、２１２０ａ、２２１０ａが表示されるアルバム名表示箇所が、押し下げられたかどうかを判定する（ステップＳ１０）。押し下げられていない場合、再度ステップＳ４の処理を実行する。
【００５７】
押し下げられた場合には、ＣＰＵ１０は、表示処理部３１に指令を出して、タッチディスプレイ３０に曲選択画面３００を表示させる（ステップＳ１１）。
次に、ＣＰＵ１０は、入力処理部２１からの信号に基づいて、戻るキー２７０が押し下げられたかどうかを判定する（ステップＳ１２）。押し下げられた場合には、前述したアルバム選択画面を表示させる。
次に、入力処理部２１からの信号に基づいて、スクロールキー２２０が押し下げられたかどうかを判定する（ステップＳ１３）。
押し下げられた場合には、ＣＰＵ１０は、表示処理部３１に指令を出して、曲名リストをスクロールさせて、タッチディスプレイ３０に表示させ、また、そのスクロールに対応させてインジケータ２５２をスクロールバー２５１内において移動させる（ステップＳ１４）。
次に、ＣＰＵ１０は、曲名が表示されている箇所が押し下げされたかどうかを判定する（ステップＳ１５）。押し下げられていない場合には、再度ステップＳ１２の処理を実行する。
曲名が表示されている箇所が押し下げられた場合には、ＣＰＵ１０は、その曲に関する音楽データをＨＤＤ１３から読み出しオーディオデータ処理部６１に出力して、スピーカ部６０により、その音楽データが再生される（ステップＳ１６）。
次に、ＣＰＵ１０は、表示処理部３１に指令を出して、タッチディスプレイ３０に、再生されている曲の曲名などと共にトップ画面を表示させる（ステップＳ１７）。
【００５８】
以上本発明の好ましい実施例について詳述したが、本発明は係る特定の実施例に限定されるものではなく、特許請求の範囲に記載された本発明の要旨の範囲内において、種々の変形、変更が可能である。
【００５９】
例えば上記実施形態では、音楽データの管理例について説明したが、上記のような構成に限定されず、他の管理方法でもよい。
また、上記実施形態に係る車載用オーディオ装置は、ナビゲーション装置と一体化したものであってもよい。
【図面の簡単な説明】
【００６０】
【図１】、従来のカーオーディオ装置のタッチディスプレイに表示される図である。
【図２】従来のカーオーディオ装置のタッチディスプレイに表示される図である。
【図３】本発明に係る一実施例の車載用オーディオ装置の構成図である。
【図４】音楽データの管理例を示した概念図である。
【図５】アルバムリストの概念の例示図と、アルバムリストの一部を拡大表示した場合の説明図である。
【図６】アルバムリストの他の一例を示した概念図である。
【図７】タッチディスプレイに表示される画面の一例を示した図である。
【図８】曲選択画面の例示図である。
【図９】タッチディスプレイに表示されるその他のアルバムリスト表示画面の例示図である。
【図１０】車載用オーディオ装置が行う処理の一例を示すフローチャート図である。
【符号の説明】
【００６１】
１                              車載用オーディオ装置
１０                            ＣＰＵ
１１                            バス
１２                            メモリ
１３                            ＨＤＤ
２０                            操作入力部
２１                            入力処理部
３０                            タッチディスプレイ
３１                            表示処理部
４０                            ＣＤドライブ
４１                            ＣＤドライブ制御部
５０                            ネットワークインターフェイス
５１                            通信処理部
６０                            スピーカ部
６１                            オーディオデータ処理部
１００                          トップ画面
２００ａ、２００ｂ、２００ｃ    アルバムリスト表示画面
２１０                          アルバムリスト表示領域
２２０                          スクロールキー
２４０ａ、２４０ｂ、２４０ｃ    ジャンプキー
２５１                          スクロールバー
２５２                          インジケータ
２６０                          リスト選択キー
【図１】
2008186503.tif 000003
【図２】
2008186503.tif 000004
【図３】
2008186503.tif 000005
【図４】
2008186503.tif 000006
【図５】
2008186503.tif 000007
【図６】
2008186503.tif 000008
【図７】
2008186503.tif 000009
【図８】
2008186503.tif 000010
【図９】
2008186503.tif 000011
【図１０】
2008186503.tif 000012